(57)【要約】【課題】  例えばカラオケの曲に対応して映像が切換わるとき、映像の途切れを防止することのできる映像再生装置を提供する。【解決手段】  映像再生装置１０００を構成するディスクチェンジャ１００１Ａ，１００１ＢとＭＰＥＧデコーダ１００２Ａ，１００２Ｂとを接続する信号経路１００４Ａ，１００４Ｂの途中には先読みバッファメモリ１００５を設ける。そして、先読みバッファメモリ１００５は、例えばディスクチェンジャ１００１Ａから出力される映像データを予め読み込むことにより、次の映像データが記憶されたＤＶＤを用意することができる。【選択図】      図３
2004310126.tif 000002
【特許請求の範囲】
【請求項１】
映像データ出力手段と、映像データ記憶手段と、第１および第２の映像用デコーダと、エフェクタと、制御手段とを有する映像再生装置であって、
映像データ出力手段は、ディスク型記憶媒体から通常速度または通常速度よりも速いＮ倍速で映像データを読み出して出力するものであり、
第１および第２の映像用デコーダは、各々に入力される映像データを映像信号に変換してエフェクタに各々供給するものであり、
制御手段は、第１および第２の映像データを続けて映像データ出力手段に出力させる場合に、映像データ出力手段により第１の映像用デコーダに第１の映像データを出力し、第１の映像データの出力終了前の所定時間の間、映像データ出力手段によりＮ倍速で第１の映像データを出力し、映像データ記憶手段に記憶させる一方、映像データ記憶手段に記憶された映像データを先に記憶されたものから順に通常速度で再生して第１の映像用デコーダに供給し、前記所定時間の経過後、映像データ記憶手段に記憶された残りの映像データを通常速度で再生して映像用デコーダに供給し、この間、映像データ出力手段に第２の映像データの出力を開始させ、第２の映像データを第２の映像用デコーダに供給し、第１の映像用デコーダから入力される映像信号のフェードアウトおよび第２の映像用デコーダから入力される映像信号のフェードインをエフェクタに行わせることを特徴とする映像再生装置。
【請求項２】
前記映像データ出力手段は、指定した曲に対応した映像データをディスク型記憶媒体から出力することを特徴とする請求項１に記載の映像再生装置。
【請求項３】
前記映像データ出力手段は、予め多数個の映像データを記憶した複数枚のディスク型記憶媒体と、指定した曲に対応した映像データを出力すべく該各ディスク型記憶媒体のトラックを適宜選択して再生するディスク再生手段とを具備することを特徴とする請求項２に記載の映像再生装置。
【発明の詳細な説明】
【技術分野】
【０００１】
本発明は、例えばカラオケシステム等に用いて好適な映像再生装置に関する。
【背景技術】
【０００２】
センタ局を有するいわゆる通信カラオケシステムの端末には、一般にカラオケ用の映像再生装置が個々に設けられている。また、端末には、予め曲データ（演奏データ、歌詞データ、効果データ、色替データおよびジャンルデータ等）が記憶されたハードディスクドライブが備えられ、これらの曲データは、公衆回線を介して端末のハードディスクドライブに順次追加更新されるようになっている。
【０００３】
また、端末には、図６に示すようなカラオケ用の映像再生装置１（以下、映像再生装置１という）が内蔵されている。さらに、該映像再生装置１は、予め多数個の映像データを記憶した複数枚のディスク型記憶媒体としてのＤＶＤ（digital versatile disc）或いは光ディスクからなるディスク群２と、指定された曲に対応した映像データを出力すべく該各ディスク群２のトラックを適宜再生するディスク再生手段としてのディスクドライバ３とを具備したディスクチェンジャ４と、該ディスクチェンジャ４の出力側に接続され、該ディスクチェンジャ４から出力される映像データをモニタ（図示せず）に映し出すため、映像データを映像信号に変換するＭＰＥＧ（Moving Picture Coding Experts Group)デコーダ５とを有している。
【０００４】
このように構成されるカラオケシステムでは、各端末にテンキーを有するリモコンユニット等がそれぞれ備え付けられている。そして、ユーザは、このリモコンユニットを用いて指定した曲の曲番号を選択することにより、これらの端末では、この指定された曲に対応した曲データをハードディスクドライブから読み出し、スピーカから演奏データに基づいた楽音を発音する。
【０００５】
一方、映像再生装置１では、ディスクドライバ３が曲データ内のジャンルデータに基づいて、このジャンルデータに対応した映像データが記憶されたＤＶＤをディスク群２から選択し、この映像データをディスクチェンジャ４から出力する。これにより、モニタ上には、指定した曲に対応した映像が表示されると共に、曲データ内の歌詞データが順次表示される。なお、映像データの選択は、ジャンルデータに限らず、その他任意のデータによって行われる場合も多い。
【発明の開示】
【発明が解決しようとする課題】
【０００６】
ところで、従来技術による映像再生装置１では、図６に示す如く、該映像再生装置１にディスクチェンジャ４が１台しか備えられていないため、映像が切換わるときに、ＤＶＤの交換やトラックの変更を行わなくてはならず、この場合には映像が一時的に途切れてしまうという問題がある。
【０００７】
また、この問題を解決するものとして、例えば図６に示す映像再生装置１１、映像再生装置２１等が考えられる。
【０００８】
ここで、映像再生装置１１は、２台のディスクチェンジャ４Ａ，４Ｂと、該ディスクチェンジャ４Ａ，４Ｂにそれぞれ接続されたＭＰＥＧデコーダ５Ａ，５Ｂと、該ＭＰＥＧデコーダ５Ａ，５Ｂに接続されたビデオスイッチ＆エフェクタ１２とを具備している。また、ディスクチェンジャ４Ａ，４Ｂは、ディスク群２Ａ，２Ｂとディスクドライブ３Ａ，３Ｂとを備えている。
【０００９】
また、映像再生装置２１は、ディスク群２Ｃと、２台のディスクドライバ３Ａ，３Ｂとを一つのディスクチェンジャ４Ｃとしたものである。
【００１０】
そして、これら映像再生装置１１，２１は、一方のディスクドライバ３Ａによって一のＤＶＤで映像データを再生している間に、他方のディスクドライバ３Ｂによって他のＤＶＤを用意しておくことができる。そして、映像再生装置１１，２１では、一のＤＶＤの再生が終了するとほぼ同時に他のＤＶＤから映像データを再生することにより、映像が切換わるときに生じていた映像の途切れを防止していた。
【００１１】
しかしながら、この映像再生装置１１，２１では、現在再生されている映像データと次に再生される映像データとが同一のＤＶＤ上の別トラックに記憶されている場合にあっては、映像が切換わるときに映像が途切れてしまうという問題がある。
【００１２】
本発明は、上述した事情に鑑みなされたものであり、映像が切換わるときに映像が途切れるのを防止することのできる映像再生装置を提供することを目的とする。
【課題を解決するための手段】
【００１３】
上述した課題を解決するため、この発明は、映像データ出力手段と、映像データ記憶手段と、第１および第２の映像用デコーダと、エフェクタと、制御手段とを有する映像再生装置であって、映像データ出力手段は、ディスク型記憶媒体から通常速度または通常速度よりも速いＮ倍速で映像データを読み出して出力するものであり、第１および第２の映像用デコーダは、各々に入力される映像データを映像信号に変換してエフェクタに各々供給するものであり、制御手段は、第１および第２の映像データを続けて映像データ出力手段に出力させる場合に、映像データ出力手段により第１の映像用デコーダに第１の映像データを出力し、第１の映像データの出力終了前の所定時間の間、映像データ出力手段によりＮ倍速で第１の映像データを出力し、映像データ記憶手段に記憶させる一方、映像データ記憶手段に記憶された映像データを先に記憶されたものから順に通常速度で再生して第１の映像用デコーダに供給し、前記所定時間の経過後、映像データ記憶手段に記憶された残りの映像データを通常速度で再生して映像用デコーダに供給し、この間、映像データ出力手段に第２の映像データの出力を開始させ、第２の映像データを第２の映像用デコーダに供給し、第１の映像用デコーダから入力される映像信号のフェードアウトおよび第２の映像用デコーダから入力される映像信号のフェードインをエフェクタに行わせることを特徴とする映像再生装置を提供する。
【発明の効果】
【００１４】
この映像再生装置によれば、同一のディスク型記憶媒体から第１および第２の映像データを読み出して再生する場合に、映像を途切らせることなく、第１および第２の映像を連続的に提供することができる。
【発明を実施するための最良の形態】
【００１５】
以下、図面を参照しながら、本発明の実施の形態について説明する。
【００１６】
１．実施形態の構成
（１）全体構成
図１は実施形態の全体構成を示す図である。本実施形態におけるカラオケシステムは、センタ局１００および後述する端末２００‐１，２００‐２…２００‐ｎ（全体として端末２００という）によって構成されている。
【００１７】
また、センタ局１００と端末２００とは、データを送受信するために公衆回線３００に接続されている。
【００１８】
ここで、センタ局１００は、端末２００に対してカラオケサービスを提供するための装置で、該センタ局１００は、端末２００とのデータの送受信などの処理を行うホストコンピュータ１０１を備え、該ホストコンピュータ１０１は端末２００からのリクエストを受信したり、曲データを端末２００に向けて送信する制御を行っている。
【００１９】
また、公衆回路３００は、例えば電話回線であり、センタ局１００から端末２００に対して曲データを送信するために用いられている。
【００２０】
（２）端末２００の構成
図２は、端末２００の構成を示すブロック図である。
端末２００のＣＰＵ２０１は、ＲＯＭ２０２に記憶されたプログラムに従ってバスを経由して接続された各部を制御するもので、該端末２００には後述する映像再生装置１０００が設けられている。また、ＲＯＭ２０２には、端末２００全体を制御するシステムプログラムの他、曲データに基づいて自動演奏を行うための演奏プログラムなどが記憶されている。さらに、ＲＡＭ２０３は、演奏する曲データを格納するなど、ＣＰＵ２０１のワーキングエリアとして用いられる。
【００２１】
インターフェース２０４は公衆回線３００と接続され、パネルインターフェース２０５はテンキー等の操作子を有して曲番号などを入力する際に用いられる。また、音源２０６は受信された曲データによって動作するＣＰＵ２０１の制御に基づいて曲データを再生出力するものである。
【００２２】
ハードディスクドライブ２０７（以下、ＨＤＤ２０７という）には演奏データ、歌詞データ、効果データ、色替データおよびジャンルデータ等からなる多数の曲データが予め記憶されている。
【００２３】
識別データ判定部２０８は曲データ中の識別子の内容を判別するものである。歌詞重畳部２０９は映像信号に歌詞を重畳するものである。表示部２１０は背景映像や歌詞を表示するためのもので、例えばＣＲＴディスプレイなどが用いられている。
【００２４】
（３）映像再生装置１０００の構成
映像再生装置１０００は、図３に示すように、映像データ出力手段となる２台のディスクチェンジャ１００１Ａ，１００１Ｂと、該ディスクチェンジャ１００１Ａ，１００１Ｂの出力側にそれぞれ接続された映像用デコーダとなるＭＰＥＧ（Moving Picture Coding Experts Group)デコーダ１００２Ａ，１００２Ｂと、該ＭＰＥＧレコーダ１００２Ａ，１００２Ｂの出力側に接続されたビデオスイッチ＆エフェクタ１００３と、前記ディスクチェンジャ１００１Ａ，１００１ＢとＭＰＥＧデコーダ１００２Ａ，１００２Ｂとを接続する信号経路１００４Ａ、１００４Ｂの途中に設けられた映像データ記憶手段としての先読みバッファメモリ１００５とによって構成されている。
【００２５】
また、ディスクチェンジャ１００１Ａ，１００１Ｂは、予め多数個の映像データが記憶された複数枚のＤＶＤ（digital versatile disc）からなるＤＶＤ群１００６Ａ，１０００６Ｂと、該ＤＶＤ群１００６Ａ，１００６Ｂ からそれぞれ一枚のＤＶＤのトラックを選択して映像データを再生するディスク再生手段としてのディスクドライバ１００７Ａ，１００７Ｂとから構成さている。
【００２６】
さらに、先読みバッファメモリ１００５にはＣＰＵ２０１と共に先読み制御手段をなすバススイッチ１００８が設けられ、該バススイッチ１００８はＣＰＵ２０１からの指令信号によって動作される。そして、バススイッチ１００８は、ディスクチェンジャ１００１Ａ，１００１Ｂから出力される映像データを先読みバッファメモリ１００５に読み込むタイミングに応じてスイッチング動作する。
【００２７】
２．実施形態の動作
次に、上記構成を有する実施形態の動作について説明する。
（１）動作の概略
まず、本実施形態にかかるカラオケシステムの動作の概略を説明する。
このカラオケシステムでは、端末２００が休止しているときに、新曲の曲データ等を公衆回線３００を経由してＨＤＤ２０７に適宜更新し、一方映像データについては業者がＤＶＤを交換することにより映像の更新を行っている。
【００２８】
（２）端末２００の動作
端末２００では、パネルインターフェース２０５から曲番号が入力されると、ＣＰＵ２０１は入力された曲番号に対応した曲データをＨＤＤ２０７から読み出してＲＡＭ２０３に格納する。
【００２９】
一方、映像再生装置１０００では、曲番号に対応した映像データが記憶されたＤＶＤを、ＤＶＤ群１００６Ａ，１００６Ｂの中から捜してディスクドライバ１００７Ａ，１００７Ｂにセットする。
そして、演奏が開始されると、スピーカからは曲番号に対応した曲が演奏され、表示部２１０からは曲に対応した映像と歌詞が表示される。
【００３０】
（３）映像再生装置１０００の動作
ここで、映像再生装置１０００の動作について、図４および図５を参照しつつ説明する。
この場合、曲の前奏から中奏１に切換わるとき、中奏１から中奏２に切換わるとき、中奏２から終奏に切換わるとき、および曲が切換わるときに、それぞれ映像が切換わるものとする。
【００３１】
（３‐１）１台のディスクチェンジャで映像の切換えを行う場合
ここでは、前奏の映像が記憶されているＤＶＤと、中奏１の映像が記憶されているＤＶＤとが異なっている場合の処理について説明する。
【００３２】
まず、ＣＰＵ２０１は、ユーザによって入力された曲番号に対応した映像データが記憶されたＤＶＤをＤＶＤ群１００６Ａから捜し出してディスクドライバ１００７Ａにセットする。そして、該ディスクドライバ１００７Ａは、このＤＶＤを再生することにより、時間ｔ１になるまで、ディスクドライバ１００７Ａを通常速度で再生して前奏に対応した映像を表示部２１０に映し出す。
【００３３】
また、ＣＰＵ２０１は、前奏が時間ｔ１になったとき、前奏が終了する前に先読みバッファメモリ１００５に前奏用の映像データを読み込むべく、ディスクドライバ１００７ＡをＮ倍速で再生すると共に、バススイッチ１００８を切換えて先読みバッファメモリ１００５への映像データの読み込み動作を開始する。
【００３４】
即ち、図５に示す如く、ＣＰＵ２０１からの指令信号を受けて、先読みバッファメモリ１００５にＮ倍速での読み込み（Write)と、読み込まれた映像データの通常速度での再生(Read) とが順次繰り返される。これにより、先読みバッファメモリ１００５内には、前奏が終了する前の時間ｔ２までに、予め前奏分の映像データを圧縮して読み込むことができる。そして、先読みバッファメモリ１００５は、時間ｔ２以降この読み込まれた映像データをＭＰＥＧデコーダ１００２Ａに向けて通常速度で再生することにより、ディスクドライバ１００７ＡにセットされていたＤＶＤを交換可能にすることができる。なお、図４および図５では、先読みバッファメモリ１００５の動作において白抜きの部分が読み込み（Write）、網掛けの部分が再生（Read)を示している。
【００３５】
このように、ディスクドライバ１００７Ａは、時間ｔ２から中奏１が始まる時間ｔ３までの間に中奏１が記憶されたＤＶＤをセットして再生の準備を行うことができる。これによって、本実施形態による映像再生装置１０００では、映像が切換わるときに発生していた映像の途切れをなくすことができる。
【００３６】
また、映像再生装置１０００では、ビデオスイッチ＆エフェクタ１００３を用いて、前奏が終了する前の時間ｔ３から前奏が終了する時間ｔ４までの間、ディスクドライバ１００７Ａを作動させて中奏１の再生を通常速度でフェードインさせ、先読みバッファメモリ１００５からは読み込んだ前奏の映像データをフェードアウトさせることにより、前奏の映像と中奏１の映像とを同時に映し出すこともでき、クロスフェード等の特殊効果も容易に実現することができる。
【００３７】
また、先読みバッファメモリ１００５では、読み込み・再生を繰り返すことにより、前奏の映像データの後半部分を圧縮して予め読み込むようにしているから、該先読みバッファメモリ１００５はその記憶容量を大きくする必要がなく、コスト低減も図ることができる。
【００３８】
さらに、映像再生装置１０００は、前奏の映像データと中奏１の映像データとが１枚のＤＶＤの別トラックに記憶されている場合でも、前奏の映像データを先読みバッファメモリ１００５に読み込むことにより、映像の途切れを防止することができる。
【００３９】
しかも、本実施形態による映像再生装置１０００では、１台のディスクチェンジャ１００１Ａのみで、映像の途切れを防止することができ、大幅なコスト低減を図ることもできる。
【００４０】
（３‐２）２台のディスクチェンジャで映像を切換える場合
この場合には、一方のディスクチェンジャ１００１Ａには中奏１の映像データが記憶されたＤＶＤをセットし、他方のディスクチェンジャ１００１Ｂには中奏２の映像データが記憶されたＤＶＤをセットしておく。そして、ディスクチェンジャ１００１Ａは中奏１の映像データを通常速度で再生し、中奏１の映像データが終了する前の時間ｔ５になったとき、ディスクチェンジャ１００１Ｂが中奏２の映像データを通常速度での再生を開始する。これにより、映像再生装置１０００では、中奏１から中奏２に映像が切換わるときに映像が途切れるのを防止することができる。
【００４１】
また、この映像再生装置１０００では、中奏１が終了する前の時間ｔ５から終了する時間ｔ６までの間、ディスクチェンジャ１００１Ａによって中奏１の映像データをフェードアウトし、ディスクチェンジャ１００１Ｂによって中奏２の映像データをフェードインさせることにより、比較的短い時間でのクロスフェードを行うことができる。
【００４２】
さらに、映像データが中奏２から後奏に切換わるときの時間ｔ７から中奏２が終了する時間ｔ８にあっても、前述した時間ｔ５から時間ｔ６への切換え動作とほぼ同様に行うことにより、映像の途切れを防止することができる。
【００４３】
一方、終奏から次曲が始まる時間ｔ９では、前述した時間ｔ１〜ｔ４での切換え動作とほぼ同様に、先読みバッファメモリ１００５を用いることにより、映像の途切れを防止することができる。
【００４４】
しかも、映像再生装置１０００は、２台のディスクチェンジャ１００１Ａ，１００１Ｂを備えているから、経時劣化等により一方のディスクチェンジャが故障した場合でも、他方のディスクチェンジャを用いて映像データを再生することができ、当該映像再生装置１０００の寿命を延ばすことができる。
【００４５】
このように、本実施形態による映像再生装置１０００では、ディスクチェンジャ１００１Ａ，１００１ＢとＭＰＥＧデコーダ１００２Ａ，１００２Ｂとを接続する信号経路１００４Ａ，１００４Ｂの途中に先読みバッファメモリ１００５を設けたから、例えば前奏から中奏１に移るときに映像が切換わる場合でも、先読みバッファメモリ１００５に予め前奏の映像データをＮ倍速で読み込んで通常速度で再生させることにより、映像を途切らせることなく、ディスクチェンジャは次の動作、即ち次の中奏１の映像データが記憶されたＤＶＤを捜してセットすることができる。
【００４６】
また、実施形態では、ディスクチェンジャとＭＰＥＧデコーダとをそれぞれ２台ずつ備えているから、先読みバッファメモリ１００５からの先読みデータの再生を一方のＭＰＥＧデコーダ１００２Ａを使用し、次の映像データを他方のＭＰＥＧデコーダ１００２Ｂを用いて再生することもできる。これにより、ディスクチェンジャ１００１Ａ，１００１Ｂの双方でＤＶＤを短時間に切換えた場合でもクロスフェード等の特殊効果を行うことができる。
【００４７】
なお、前記実施形態では、映像再生装置１０００に２台のディスクチェンジャ１００１Ａ、１００１Ｂを用いた場合について述べたが、本発明はこれに限らず、ディスクチェンジャ１００１Ａを１台にした場合でも同様の作用効果を奏することができる。この場合には、また、前述した如く、１台のディスクチェンジャ１００１Ａだけであっても、映像データを先読みバッファメモリ１００５に先読みして記憶することができるから、コスト低減を図った上で、映像の途切れを防止することができる。
【００４８】
また、先読みバッファメモリ１００５は、ディスクチェンジャ１００１Ａ，１００１ＢとＭＰＥＧデコーダ１００２Ａ、１００２Ｂとを接続する信号経路１００４Ａ，１０００４Ｂの途中に設けるようにしたが、先読みバッファメモリ１００５はＭＰＥＧデコーダ１００２Ａ，１００２Ｂとビデオスイッチ＆エフェクタ１００３との間に設けるようにしてもよい。
【００４９】
また、先読みバッファメモリ１００５は、リングメモリによって構成してもよい。
【００５０】
また、図４では、時間ｔ９において、曲と曲との繋ぎ部分に時間間隔を持たせているが、曲と曲とが繋がるようにしてもよいことは勿論である。
【００５１】
さらに、前記実施形態では、指定した曲に対応した映像データを再生するカラオケシステムについて述べたが、本発明はこれに限らず、複数の映像データを繋いで再生する他の映像再生システムに適用してもよい。
【図面の簡単な説明】
【００５２】
【図１】実施形態によるカラオケシステムを示す全体構成図である。
【図２】図１中の端末を示すブロック図である。
【図３】図２中の映像再生装置を示すブロック図である。
【図４】曲の演奏経過に対応した先読みバッファメモリの動きを示す動作説明図である。
【図５】図４中の要部を拡大して示す動作説明図である。
【図６】従来技術による端末を示すブロック図である。
【符号の説明】
【００５３】
２０１・・・ＣＰＵ（制御手段）、１０００・・・映像再生装置、１００１Ａ，１００１Ｂ・・・ディスクチェンジャ（映像データ出力手段）、１００２Ａ，１００２Ｂ・・・ＭＰＥＧデコーダ（第１および第２の映像用デコーダ）、１００４Ａ，１００４Ｂ・・・通信経路、１００５・・・先読みバッファメモリ（映像データ記憶手段）、１００６Ａ，１００６Ｂ・・・ＤＶＤ群（ディスク型記憶媒体）、１００７Ａ、１００７Ｂ・・・ディスクドライバ（ディスク再生手段）、１００８・・・バススイッチ、１００３・・・ビデオスイッチ＆エフェクタ。
【図１】
2004310126.tif 000003
【図２】
2004310126.tif 000004
【図３】
2004310126.tif 000005
【図４】
2004310126.tif 000006
【図５】
2004310126.tif 000007
【図６】
2004310126.tif 000008